(57)【特許請求の範囲】
【請求項１】
サーバと、該サーバに接続する売り手端末と、買い手端末とを備える公開市場システムにおいて、
前記サーバは、
過去の買い目予想データの結果を照合し分析して実績のデータを作成する実績分析部と、
前記売り手端末から出品される買い目予想データを入力するためのフォームを出力するフォーム部と、
分析された実績のデータと、出品された前記買い目予想データとを前記買い手端末に出力する買い目出品部と、
出品された前記買い目予想データに係る決済を行う決済部とを備え、
前記実績分析部は、前記分析として、統計やランキングを計算して前記実績のデータを作成し、天候や自信度における的中率を前記統計の処理に用い、単勝や枠連などの券種による的中率、及び順位予測と実際の順位との差異についても前記実績のデータとして作成し、前記実績のデータにより前記買い目予想データの統計的な有意性についても計算し評価し、
前記売り手端末は、
前記フォームを用いて定型化された買い目予想データを入力して出品する
ことを特徴とする公開市場システム。
【請求項２】
前記実績分析部は、
各売り手の実績を分析する事により、売り手毎の自信度及び的中率と回収率との相関係数を算出し、
算出された相関係数により、次の競技での的中率及び回収率の予測をして推薦順位によるランキングのデータを作成し、
売り手個々のデータに加えて投票券種、金額、予想手法別に集計して、どの券種、どの金額、どの予想手法が一番効率的であるかのランキングのデータを作成し、
各買い目予想データを基に、尤も確からしい買い目予測データを計算し、
買い目予想と具体的な競技結果の統計的有意性を計算する
ことを特徴とする請求項１に記載の公開市場システム。
【請求項３】
前記買い目出品部は、前記買い手端末からの指示により、前記実績のデータの検索を行う
ことを特徴とする請求項１又は２に記載の公開市場システム。
【請求項４】
前記サーバは、
前記出品された買い目予想データの結果を取得する結果取得部を更に備え、
前記実績分析部は、出品された前記買い目予想データと、結果のデータとを照合し、前記実績のデータを更新する
ことを特徴とする請求項１乃至３のいずれか１項に記載の公開市場システム。
【請求項５】
過去の買い目予想データの結果を照合し分析して実績のデータを作成する実績分析部と、
売り手端末から出品される買い目予想データを入力するためのフォームを出力するフォーム部と、
分析された実績のデータと、出品された前記買い目予想データとを出力する買い目出品部と、
出品された前記買い目予想データに係る決済を行う決済部とを備え、
前記実績分析部は、前記分析として、統計やランキングを計算して前記実績のデータを作成し、天候や自信度における的中率を前記統計の処理に用い、単勝や枠連などの券種による的中率、及び順位予測と実際の順位との差異についても前記実績のデータとして作成し、前記実績のデータにより前記買い目予想データの統計的な有意性についても計算し評価する
ことを特徴とする公開市場システムのサーバ。
【請求項６】
サーバと、該サーバに接続する売り手端末と、買い手端末と備える公開市場システムにおいて、
買い目予想データと、該買い目予想データの結果を照合し分析して実績のデータを作成し、
出品される買い目予想データを入力するためのフォームを出力し、
前記フォームを用いて定型化された買い目予想データを入力して出品し、
分析された実績のデータと、出品された前記買い目予想データとを出力し、
前記分析として、統計やランキングを計算して前記実績のデータを作成し、天候や自信度における的中率を前記統計の処理に用い、単勝や枠連などの券種による的中率、及び順位予測と実際の順位との差異についても前記実績のデータとして作成し、前記実績のデータにより前記買い目予想データの統計的な有意性についても計算し評価する
ことを特徴とする公開市場システムの制御方法。
【発明の詳細な説明】
【技術分野】
【０００１】
本発明は、公開市場システム、公開市場システムのサーバ、公開市場システムの制御方法に係り、特に買い目予想データを売買する公開市場システム、公開市場システムのサーバ、公開市場システムの制御方法に関する。
【背景技術】
【０００２】
我が国において、公の機関が開催し賭け事を行うスポーツ競技である公営競技としては、競馬、競輪、競艇、オートレースがある。
従来、このような公営競技において、どの馬や選手が勝つかといった予想情報は、新聞や雑誌等の紙媒体により提供されてきた。
しかしながら、近年、携帯電話網やインターネット等の通信回線網の発達により、端末により閲覧できる予測データが、有料で又は無料と広告収入のような形式で、販売、提供されている。
【０００３】
従来のこのような予測データの提供システムとして、特許文献１を参照すると、予想情報提供端末でレース進行状態等に応じて予想情報を提供できる予想情報提供システムが記載されている（以下、従来技術１とする。）。
従来技術１の予想情報提供システムにおいては、公営競技において投票券の発売・支払・オッズ（概算配当率）の表示などを行うコンピュータシステムであるトータリゼータシステムのホストからの開催情報を集約し、公営競技場やその近辺の複数の予想情報提供者が提供する情報を、競技場等の遠隔地においても、レースの進行状態に対応して提供することができる。
【先行技術文献】
【特許文献】
【０００４】
【特許文献１】特開２００６−８５５３２号公報
【発明の概要】
【発明が解決しようとする課題】
【０００５】
しかしながら、従来、公営競技においては、この予想データとして売買される商品は、ほとんどがレースの着順等の単なる予想であるという問題があった。
よって、従来技術１の段落〔００６７〕等を参照すると、レースの予想のデータから、投票券を購入する際の投票券（券）を購入する組み合わせ、組番、又は対象番号である「買い目」を出力していた。
すなわち、従来技術１の予測情報提供システムにおいては、買い目の予想データそのものを、商品として売買することはできなかった。
このため、実績の比較がしにくいという問題があった。よって、予測データの買い手は、売り手の自己申告を信じるしかないため、予想データを購入するのが躊躇されるという問題があった。
【０００６】
本発明は、このような状況に鑑みてなされたものであり、上述の課題を解消することを課題とする。
【課題を解決するための手段】
【０００７】
本発明の公開市場システムは、サーバと、該サーバに接続する売り手端末と、買い手端末とを備える公開市場システムにおいて、前記サーバは、過去の買い目予想データの結果を照合し分析して実績のデータを作成する実績分析部と、前記売り手端末から出品される買い目予想データを入力するためのフォームを出力するフォーム部と、分析された実績のデータと、出品された前記買い目予想データとを前記買い手端末に出力する買い目出品部と、出品された前記買い目予想データに係る決済を行う決済部とを備え、前記実績分析部は、前記分析として、統計やランキングを計算して前記実績のデータを作成し、天候や自信度における的中率を前記統計の処理に用い、単勝や枠連などの券種による的中率、及び順位予測と実際の順位との差異についても前記実績のデータとして作成し、前記実績のデータにより前記買い目予想データの統計的な有意性についても計算し評価し、前記売り手端末は、前記フォームを用いて定型化された買い目予想データを入力して出品することを特徴とする。
本発明の公開市場システムは、前記実績分析部は、各売り手の実績を分析する事により、売り手毎の自信度及び的中率と回収率との相関係数を算出し、算出された相関係数により、次の競技での的中率及び回収率の予測をして推薦順位によるランキングのデータを作成し、売り手個々のデータに加えて投票券種、金額、予想手法別に集計して、どの券種、どの金額、どの予想手法が一番効率的であるかのランキングのデータを作成し、各買い目予想データを基に、尤も確からしい買い目予測データを計算し、買い目予想と具体的な競技結果の統計的有意性を計算することを特徴とする。
本発明の公開市場システムは、前記買い目出品部は、前記買い手端末からの指示により、前記実績のデータの検索を行うことを特徴とする。
本発明の公開市場システムは、前記サーバは、前記出品された買い目予想データの結果を取得する結果取得部を更に備え、前記実績分析部は、出品された前記買い目予想データと、結果のデータとを照合し、前記実績のデータを更新することを特徴とする。
本発明の公開市場システムのサーバは、過去の買い目予想データの結果を照合し分析して実績のデータを作成する実績分析部と、売り手端末から出品される買い目予想データを入力するためのフォームを出力するフォーム部と、分析された実績のデータと、出品された前記買い目予想データとを出力する買い目出品部と、出品された前記買い目予想データに係る決済を行う決済部とを備え、前記実績分析部は、前記分析として、統計やランキングを計算して前記実績のデータを作成し、天候や自信度における的中率を前記統計の処理に用い、単勝や枠連などの券種による的中率、及び順位予測と実際の順位との差異についても前記実績のデータとして作成し、前記実績のデータにより前記買い目予想データの統計的な有意性についても計算し評価することを特徴とする。
本発明の公開市場システムの制御方法は、サーバと、該サーバに接続する売り手端末と、買い手端末と備える公開市場システムにおいて、買い目予想データと、該買い目予想データの結果を照合し分析して実績のデータを作成し、出品される買い目予想データを入力するためのフォームを出力し、前記フォームを用いて定型化された買い目予想データを入力して出品し、分析された実績のデータと、出品された前記買い目予想データとを出力し、前記分析として、統計やランキングを計算して前記実績のデータを作成し、天候や自信度における的中率を前記統計の処理に用い、単勝や枠連などの券種による的中率、及び順位予測と実際の順位との差異についても前記実績のデータとして作成し、前記実績のデータにより前記買い目予想データの統計的な有意性についても計算し評価することを特徴とする。
【発明の効果】
【０００８】
本発明によれば、売り手が出品した買い目予想データを集計して公開することで、過去の実績を客観的に比較することができ、買い手の購入に対する心理的な障壁を取り除くことができる公開市場システムを提供することができる。
【図面の簡単な説明】
【０００９】
【図１】本発明の実施の形態に係る公開市場システムＸのシステム構成の概念図である。
【図２】本発明の実施の形態に係るサーバ１０の制御構成を示すブロック図である。
【図３】本発明の実施の形態に係る公開市場処理のフローチャートである。
【図４】本発明の実施の形態に係る買い目予想データの概念図である。
【図５】本発明の実施の形態に係る買い手端末２１−１のブラウザに表示する実績／買い目予想検索の画面例である。
【図６】本発明の実施の形態に係る買い手端末２１−１のブラウザに表示する実績／買い目予想検索結果の画面例である。
【図７】本発明の実施の形態に係る売り手端末２３−１のブラウザに表示するウェブフォームの画面例である。
【発明を実施するための形態】
【００１０】
＜実施の形態＞
〔公開市場システムＸの構成〕
まず、図１を参照して、本発明の実施の形態に係る公開市場システムＸの構成について説明する。本実施の形態においては、公開市場システムＸにおいて、公営競技の買い目の予想について公開市場として売買する構成の例について説明する。
本発明の実施の形態に係る公開市場システムＸは、サーバ１０と、買い手端末２１−１〜２１−ｎと、売り手端末２３−１〜２３−ｎと、管理者端末２５とが、無線電話網やインターネットやイントラネット等であるネットワーク５を介して接続されている。
具体的には、ネットワーク５は、携帯電話網、ＰＨＳ網、ＷｉＭＡＸ、無線ＬＡＮ、有線電話回線、ＬＡＮ、電灯線ＬＡＮ、ｃＬｉｎｋ、専用の回線等の無線通信回線である。また、ネットワーク５の形態としては、ＩＰネットワークやその他のスター状やリング状のネットワーク等を用いることができる。
サーバ１０は、ＰＣ／ＡＴ互換機、専用機、ブレードサーバ等を用いた、ネットワーク５で接続して買い目市場に関する各種サービスを提供するサーバである。
買い手端末２１−１〜２１−ｎと、売り手端末２３−１〜２３−ｎと、管理者端末２５とは、ＨＴＭＬ（ハイパー・テキスト・マークアップ・ランゲージ）等を閲覧することができるウェブブラウザを備えたＰＣ／ＡＴ互換機、ＰＤＡ（Ｐｅｒｓｏｎａｌ  Ｄａｔａ  Ａｓｓｉｓｔａｎｔ）、モバイル端末、スマートフォン、携帯電話等である。
買い手端末２１−１〜２１−ｎは、買い目予想データの買い手（買い手ユーザ）の使用する端末である。
売り手端末２３−１〜２３−ｎは、買い目予想データの売り手（売り手ユーザ）の使用する端末である。
管理者端末２５は、サーバ１０の管理者が用いる端末である。
【００１１】
〔サーバ１０の制御構成〕
次に、図２を参照して、買い目市場を提供するサーバ１０の制御構成について詳しく説明する。サーバ１０は、ネットワーク入出力部１１０、公開市場サーバ１２０、データベースサーバ１３０、ＤＮＳ／メールサーバ１４０を主に含んで構成される。
【００１２】
ネットワーク入出力部１１０は、ルータやロードバランサ（負荷分散装置）等である。ネットワーク入出力部１１０は、ネットワーク５からＩＰパケットを受信して各部に送信し、各部からのＩＰパケットをまとめてネットワーク５へと送信する。
また、ネットワーク入出力部１１０は、パケットフィルタ、ファイアウォール、ｓｙｓｌｏｇ等にも対応する。
【００１３】
公開市場サーバ１２０は、買い手と売り手がアクセスする公開市場のサービスを提供するサーバであり、ＣＰＵ等の制御部が、フォーム部１２１、実績分析部１２２、買い目出品部１２４、結果取得部１２５、ウェブサーバ部１２６、決算部１２７のような各種プログラムやクラス等をハードウェア資源を用いて実行する。これらの各種プログラムやクラス等は、サービス（デーモン）やＣＧＩ（Ｃｏｍｍｏｎ  Ｇａｔｅｗａｙ  Ｉｎｔｅｒｆａｃｅ）、サーブレット、ＡＳＰ（Ａｃｔｉｖｅ  Ｓｅｒｖｅｒ  Ｐａｇｅs）、ＰＨＰ、各種スクリプト、その他のウェブアプリケーションと、具体的な演算を行うプログラム群として提供することができる。
フォーム部１２１は、買い目予想データを入力するためのデータフォームに係るＣＧＩやサーブレットやＸＭＬデータ等の部位である。フォーム部１２１は、後述する定型化された買い目予想データを売り手が入力するためのデータフォームを作成する。また、フォーム部１２１は、売り手端末２３−１〜２３−ｎから、データフォームを用いて入力されたデータを受信すると、ユーザデータベース１３１に記憶する。
実績分析部１２２は、後述する実績データベース１３２や競技データベース１３３等を参照して、売り手の予想の「実績」となる的中率、回収率、回収額、販売額等の実績のデータを計算し作成する部位である。また、実績分析部１２２は、後述する買い目予想データ中の自信度Ｄ１０６（図４）のようなデータ等と実績による相関係数を計算したり、各種統計的手法、人工知能的手法を用いて、売り手データの傾向等を計算するための部位である。また、売り手のランキングや、買い目データを総合して最尤推定等を行い「尤も正しそう」な予想データを作成することもできる。
買い目出品部１２４は、ＣＧＩやサーブレットやＡＳＰやＰＨＰ等、端末の指示に応じてブラウザ等で表示可能なデータの出力を行う機能を備える部位である。買い目出品部１２４は、売り手が送信した買い目予想データや、実績分析部１２２が集計・分析・計算・評価した実績に関するデータを、ＨＴＭＬやＸＭＬ等のウェブサーバ部１２６にて送信可能なデータに変換する。また、買い目出品部１２４は、買い手が買い目予想データから購入したいものを検索する際に、各種条件設定を行い、ユーザデータベース１３１から検索を行うこともできる。また、買い目出品部１２４は、コメント等を表示する機能に加えて、ＳＮＳ（ソーシャル・ネットワーク・サービス）、ＢＢＳ（Ｂｕｌｌｅｔｉｎ  Ｂｏａｒｄ  Ｓｙｓｔｅｍ）、チャット等の機能を備えており、買い手が売り手に直接問い合わせることも可能である。これにより、公開市場を介さない取引を抑制することができる。また、買い目出品部１２４は、送信するメールの文面を作成する等の自然言語処理機能も備えている。
結果取得部１２５は、公営競技の競技結果や債券価格等が公開されたサーバ（図示せず）から、タイマー等を用いて、結果が判明後にフェッチ等を用いて、ＨＴＭＬやＸＭＬやテキストデータやバイナリデータ等で提供される結果データを取得する部位である。また、結果取得部１２５は、パーサを用いて競技データベース１３３に合う形式に変換することもできる。
ウェブサーバ部１２６は、ＷＷＷ（ワールド・ワイド・ウェブ）サーバのサービス（デーモン）であり、ＩＩＳ（インターネット・インフォメーション・サーバ）や、Ａｐａｃｈｅ等と各種モジュールを用いることができる。また、ウェブサーバ部１２６は、ＣＧＩ（コモン・ゲートウェイ・インターフェイス）、サーブレット、ＰＨＰ等のインターフェイスを用いて、アカウントによるアクセス制御により、各プログラムの実行出力を各端末からＷＷＷのウェブブラウザにてアクセス可能にする。また、ウェブサーバ部１２６は、ＨＴＭＬやＣＨＴＭＬ（コンパクト・ＨＴＭＬ）のデータ等と、ＪＰＧやＧＩＦやＦＬＡＳＨやＡＶＩ等の画像データと、音声データやその他のデータとを備えたＷＷＷウェブサイト構築用のデータについても、各データベースや記憶媒体から読み出して送信することができる。
決済部１２７は、ＳＳＬ（Ｓｅｃｕｒｅ  Ｓｏｃｋｅｔ  Ｌａｙｅｒ）を用いて、クレジット決済やインターネット銀行での決済やインターネット通貨での決済を行う部位である。この際に、買い手や売り手が設定した期限等の条件により、メール送信やウェブぺージ作成等の処理を行うこともできる。
【００１４】
データベースサーバ１３０は、ＣＰＵ等の制御部とＳＱＬサーバと各種ストレージとプログラム等のハードウェア資源を用いて構成されている部位であり、ユーザデータベース１３１、実績データベース１３２、競技データベース１３３、ＩＤ作成部１３５のような部位を備えている。
ユーザデータベース１３１は、売り手、買い手のユーザのＩＤ（Ｉｄｅｎｔｉｆｉｃａｔｉｏｎ）、パスワード、決済用のクレジットカード情報、買い目予想データ、購入／販売履歴、検索履歴、コメントやＳＮＳやＢＢＳ等の記載／閲覧履歴、住所や電話番号等その他のデータを記憶するデータベースである。
実績データベース１３２は、売り手の買い目予想データと、実績を記憶するデータベースである。
競技データベース１３３は、買い目予想データのための、公営競技の結果のデータや、各種債権の値段のような時系列データ等を記憶するデータベースである。競技データベース１３３は、単なる結果だけではなく、コースや距離や地面や波の荒さ等、競技に付随する属性で買い目予想データに用いられるものについても記憶している。
ＩＤ作成部１３５は、売り手、買い手の各ユーザについて、各データベースにアクセスさせるため、ＩＤに係るパスワードや鍵データ等を発行する部位である。また、ＩＤ作成部１３５は、ユーザデータベース１３１の各売り手、買い手のユーザデータベース１３１上のデータを、買い手端末２１−１〜２１−ｎや売り手端末２３−１〜２３−ｎからの信号に従って入力することもできる。
【００１５】
ＤＮＳ／メールサーバ１４０は、一般的なＤＮＳ（ドメイン・ネームサーバ）や、ユーザに電子メールを配信するためのＳＭＴＰ（Ｓｉｍｐｌｅ  Ｍａｉｌ  Ｔｒａｎｓｆｅｒ  Ｐｒｏｔｏｃｏｌ）サーバである。ＤＮＳとしては、Ｗｉｎｄｏｗｓ（登録商標）ＤＮＳを使用し、ＳＭＴＰ用のサービス（デーモン、プログラム）としては、公知のＳＭＴＰプログラム、例えば、ＡｒＧｏＳｏｆｔ社製のＭａｉｌ  Ｓｅｒｖｅｒ等を用いることができる。
このＤＮＳ／メールサーバ１４０は、ＤＮＳとして用いる他に、公式サイトの登録フォームに入力したユーザにアカウントのユーザＩＤとパスワード等を送信することもできる。
【００１６】
〔公開市場システムＸの公開市場処理〕
次に公開市場システムＸにおける、公開市場処理の流れの概略を説明する。
本発明の実施の形態に係る公開市場は、上述したように、売り手の過去の実績をデータとして明確に分析、比較、公開することができる買い目予想データの公開市場である。この公開市場においては、買い手が実績データを参考にして「予想買い目」を選択し、同一価格で購入する事ができる。すなわち、売り手も買い手も参加が自由な市場のサービスである。
より具体的には、売り手（売り手ユーザ）は、売り手端末２３−１〜２３−ｎを用いて、サーバ１０にアクセスし、販売するための買い目予想データを提出する。
サーバ１０は、この買い目予想データに対して、過去の予想の実績と予想データの値段等を「買い目市場」として提供する。
そして、買い手（買い手ユーザ）が、買い手端末２１−１〜２１−ｎを用いて、この買い目市場から予想データを購入する。
各競技が終了して結果が判明すると、サーバ１０は、金銭の授受、競技成績の取得による実績の更新を行う。
その後、買い手から購入代金を回収し、手数料分を差し引いて、売り手に売上金を渡す。
【００１７】
〔買い目予想データのデータ構造〕
ここで、図４を参照して、売り手が提供する買い目予想データに係る各属性の例について説明する。この買い目予想データは、売り手端末２３−１〜２３−ｎがサーバ１０に送信して、サーバ１０のフォーム部１２１が実績データベース１３２に記憶する。
対象競技Ｄ１０１は、競技の日時、場所、名称等、競技を特定するための属性である。
投票券種Ｄ１０２は、予想対象とする券種を示す属性である。具体的には、競技毎に単勝、複勝、連勝複式、連勝単式、３連勝複式、３連勝単式等、所定の対象競技の券種に対応する記号・番号等を属性として用意できる。
買い目Ｄ１０３は、投票券種に対応した予想買い目を示す属性である。この属性としては、単純に買い目のフラグ等を記憶するのではなく、順位や「次点」等の付随するデータについても記憶することができる。
金額Ｄ１０４は、買い目予想データを販売する際の金額の属性である。この金額は単純な金銭ではなく、例えば「ポイント」「クレジット」のような仮想通貨単位や、当選金額の何％といった金額を用意して用いることもできる。また、買い手が支払う際に、前払いか後払いかといった情報も記憶できる。後払いの場合には、サーバ１０を介して券を購入し、購入時の何パーセントを支払うといった値を定めることができる。なお、後払いの場合、同じＩＤの売り手がランダムな買い目予想データを多数用意する事態を避けるために、保証金や手数料をサーバ１０の管理者に先払いするようなシステムも用意できる。さらに、先払いの場合にも、最初に料金を預けておいて、予想が当たった場合のみ売り手に送金するような情報を記憶することもできる。
予想手法Ｄ１０５は、売り手が買い目予想を行った際に最も重要視したファクターを記憶する属性である。この予想手法としては、統計的手法、人工知能的手法、データを用いたヒューリスティックな手法、その他の手法等を１０種類程度にカテゴライズして記憶することができる。また、各手法について、例えば人工知能であれば「カーネルマシン」「ニューラルネット」「決定木」等のサブカテゴリーを記憶可能である。
自信度Ｄ１０６は、予想に対しての自信度を自己評価として記憶する属性である。具体的には売り手が自己申告したＡ、Ｂ、Ｃ等の３〜５段階程度の評価を記憶する。
コメントＤ１０７は、予想に関して、買い手に対するメッセージを自由に記入して記憶する欄である。このコメント中に、サーバ１０を介しない連絡先やスパム等が記載されていた場合には、サーバ１０のフォーム部１２１は、ＤＮＳ／メールサーバ１４０を介して管理者端末２５に通知し、そのＩＤのユーザに警告する。
【００１８】
以下で、このような買い目予想データを公開市場で売買する処理について、図３のフローチャート／タイミングチャートを参照し、サーバ１０の処理を基に詳しく説明する。
また、以下では、売り手端末２３−１と、買い手端末２１−１とを代表例としてサーバ１０との間の一連の処理の流れの例について説明を行う。
【００１９】
（ステップＳ１０１）
まず、サーバ１０の実績分析部１２２は、過去実績集計処理を行う。
具体的には、まず、実績分析部１２２は、実績データベース１３２と競技データベース１３３とを参照する。そして、実績分析部１２２は、結果取得部１２５が取得した結果データと、同じＩＤの売り手が以前に販売した買い目予想データとから、的中率、回収率、回収額、販売額等の「実績」を計算する。この処理においては、以前の「実績」である過去の「実績」を計算する。
具体的には、実績分析部１２２は、まず、各レースにおける的中割合である、的中率を計算する。この際に、天候や自信度における的中率のデータ等、後の統計処理にて用いる値も計算する。さらに、単勝や枠連などの券種による的中率や、順位予測と実際の順位との差異といった値についても計算する。
また、実績分析部１２２は、回収額として、買い目予想を基に所定の購入額によって券を購入した場合に、的中した券とオッズを掛けて収入となる金額を計算する。加えて、この回収額と回収率として、期待値をパーセント単位で計算する。
さらに、実績分析部１２２は、売り手が買い目予想データを販売した際の、販売人数や販売額についても計算することができる。
これらの「実績」に係る値は、１〜３ヶ月単位の平均をとって計算、分析することが可能である。また、時系列データとして計算することも可能である。
実績分析部１２２は、計算、分析した「実績」を、実績のデータとして実績データベース１３２に記憶する。
【００２０】
（ステップＳ１０２）
次に、実績分析部１２２は、統計／ランキング作成処理を行う。
実績分析部１２２は、このランキングとして、各ＩＤの売り手の「実績」を集計したものから計算し評価する。この際に、実績分析部１２２は、競技の種類や属性、「実績」に係る各値、万馬券等のオッズの条件、前払い／後払い、回収額の絶対値や平均値のような各条件を用いて分析することができる。また、各ＩＤの売り手の「実績」を基に、その買い目予想の統計的な有意性についても計算し評価することができる。
さらに、実績分析部１２２は：
（１）単なる過去の順位付けの公開だけでなく、データ的に推薦できるものも順位付けして公開する。
ここでは、各売り手の実績を分析する事により、売り手毎の「自信度」と「的中率」、「回収率」の相関係数を算出する。また、その相関係数を使い、次の競技での「的中率」、「回収率」の予測をする。それと競技属性を絞った「的中率」、「回収率」を合成する事により、推薦順位を作り、ランキングのデータを作成することができる。
（２）売り手個々のデータだけを見るだけでなく、「投票券種」、「金額」、「予想手法」別に集計して、どの券種、どの金額、どの予想手法が一番効率的か、という問題も明らかにしてランキングのデータを作成する。
【００２１】
これに加えて、実績分析部１２２は、各買い目予想データを基に、ベイズ推定等の統計手法を行い、例えば、尤度が高い、尤も確からしい買い目予測データを取得可能である。このデータは、買い手に有料で提供して、各売り手に所定の比率で分配することができる。
さらに、買い目予想と具体的な競技結果の統計的有意性を計算することで、公営競技において、いわゆる八百長等の不正が行われている場合に、それを指摘することもできる。
実績分析部１２２は、ランキングや各種統計の値も、実績のデータとして実績データベース１３２に記憶する。
【００２２】
（ステップＳ１０３）
次に、買い目出品部１２４は、ウェブサーバ部１２６を用いて、実績公開処理を行う。
具体的には、買い目出品部１２４は、実績分析部１２２が集計、計算、分析、評価した結果やランキングのような実績のデータについて、ウェブサーバ部１２６で表示するＨＴＭＬやＸＭＬ等の閲覧用のデータを作成して、実績データベース１３２に保存する。
ウェブサーバ部１２６は、買い手ユーザがこの閲覧データをウェブブラウザで閲覧した場合に、各計算結果やランキングのＨＴＭＬやＸＭＬ等を送信する。
【００２３】
さらに買い手端末２１−１のウェブブラウザからの指示により、買い目出品部１２４は、実績のデータを検索することが可能である。
図５を参照すると、買い手は、買い手端末２１−１のウェブブラウザの画面の入力欄６１０には対象競技属性を、入力欄６２０には投票券種を、入力欄６３０には金額帯を、入力欄６４０には予想手法を、入力欄６５０には対象期間を入力し、これらのいずれかの属性等により、検索を行うことが可能である。
具体的には、対象競技属性は、対象競技、競技場、及びコースや距離等の競技に付随する属性等を選択することができる。この対象競技属性は、例えば競馬等の対象競技を選択すると、対象競技に合致した属性を自動的に選択して表示する。
投票券種は、買い手が求める券種が選択可能である。
金額帯は、買い手の予算や購入方法に応じた買い目予想を得る事が可能である。すなわち、買い目予想データの値段と、定額で支払うのか／取得金額の割合で支払うのか、前払いか後払いかといった情報を選択できる。
予想手法は、買い目予想データの予想手法Ｄ１０５のうち、買い手が特に信頼を寄せる手法があれば選択することが可能である。
対象期間は、過去の実績から買い目予想の売り手の的中率等を検索する際に、前週のみ、過去１ヶ月、３ヶ月、１年間等、実績のデータの対象期間を選択可能である。
このような各属性にてフィルタリングする事で、該当する競技や買い手の求める券種に合った検索結果を得ることができる
【００２４】
図６を参照すると、買い目出品部１２４は、検索条件に合った売り手のＩＤを基に、実績のデータを閲覧用のデータに変換してウェブサーバ部１２６により送信する。この変換された実績のデータは、買い手端末２１−１のウェブブラウザにて表示可能である。
また、ランキングを表示することも可能であり、さらに実績のデータを的中率実績、回収率実績、回収額実績、販売額実績等のランキングにより順位付けして閲覧用のデータに変換後に表示することもできる。
さらに、図６のブラウザの表示画面例では、売り手のＩＤのリンク７００等を選択することで、その売り手の出品した買い目予想を詳細に閲覧することもできる。
また、そのＩＤの売り手が、後述する買い目予想データの出品を行っていた場合には、リンク７１０をクリックする等して出品データの購入画面を表示する。これにより、買い手は、当該買い目予想データをサーバ１０経由で購入することができる。
【００２５】
（ステップＳ１０４）
次に、フォーム部１２１は、フォーム配布処理を行う。
具体的には、分析結果公開処理後に、さらに売り手に新しい買い目の予想を提供してもらう。この際、ＩＤとパスワードによる売り手の認証を行う。ここで、新しい売り手を希望するユーザの場合には、ＩＤ作成部１３５を用いて売り手のＩＤを作成し、ユーザデータベース１３１にアクセスして各情報を入力させる。
認証が完了すると、フォーム部１２１は、買い目予想データを入力するための所定のフォーマットのウェブフォームを、売り手端末２３−１のウェブブラウザからのアクセスに従って送信する（タイミングＴ１０１）。
【００２６】
売り手端末２３−１のブラウザが、ウェブフォームを受信して表示すると、売り手を希望するユーザは、このウェブフォームを用いて買い目予想データを入力する。
ここで、図７を参照して、具体的に、入力フォームであるウェブフォームを用いてこの買い目予想データを入力する例について説明する。
図７の画面例では、ブラウザに表示されるウェブフォームに、まず入力欄５００を用いてユーザ名やパスワードを入力する。
その上で、売り手は、入力欄５１０は対象競技Ｄ１０１に、入力欄５２０は投票券種Ｄ１０２に、入力欄５３０は買い目Ｄ１０３に、入力欄５４０は金額Ｄ１０４に、入力欄５５０は予想手法Ｄ１０５に、入力欄５６０は自信度Ｄ１０６に、入力欄５７０はコメントＤ１０７に、それぞれ対応するデータを入力する。
その後、売り手がマウス等のポインティングデバイスで送信ボタン５８０をクリックしたことを検知すると、売り手端末２３−１は、入力されたデータを買い目予想データとしてサーバ１０に送信する（タイミングＴ１０２）。
フォーム部１２１は、ネットワーク入出力部１１０を介して、買い目予想データを受信すると、当該売り手のＩＤと関連づけて、実績データベース１３２に記憶する。
このフォーム配布と買い目予想データの送信は、売り手が作成した予想が通常は複数あるため、繰り返して行うことができる。
なお、各属性の入力項目については、曖昧さが残らないようにコメントＤ１０７以外はスライドバーやラジオボックスやチェックボックス等の選択欄、数値、又は記号にて入力することができる。
【００２７】
（ステップＳ１０５）
次に、買い目出品部１２４は、買い目市場出品処理を行う。
具体的には、買い目出品部１２４は、各売り手のＩＤに従った買い目予想データのうち、公開してよい部分、例えば売り手のＩＤ、買い目Ｄ１０３以外の情報等を、上述のランキングの情報を合わせてＨＴＭＬやＸＭＬ等にして、出品データとして実績データベース１３２に記憶する。
これらの出品データを買い手端末２１−１がアクセスすると、ウェブサーバ部１２６により送信する。
また、この出品データは、上述の実績のデータと同様の検索を行うこともできる。
買い手は、買い手端末２１−１のウェブブラウザを用いて出品データを検索、実績のデータの分析結果やランク付けを見て比較、検討し購入を決定する。
これを受信した決済部１２７は、契約条件の提示を行い、「購入予約」を行う（タイミングＴ１０３）。
【００２８】
（ステップＳ１０６）
次に、決済部１２７は、販売処理を行う。
購入予約の信号を受信した決済部１２７は、後払いの場合は、場外発券サイト等と連携して、他のサーバとの間で購入予約を行う。この購入予約は、サーバ１０を介してのみキャンセルできるように構成することが好適である。たとえば、ＩＤ作成部１３５により、ＩＤやパスワード等を作成して記憶しておき、これを介して購入予約を行い、ユーザデータベース１３１に記憶することができる。この際のＩＤやパスワードは、ユーザデータベース１３１のユーザがアクセスできない記憶部に記憶しておき、買い手は購入したことのみ知ることができる。
また、決済部１２７は、先払いの場合は、ＳＳＬ等を用いて、ユーザデータベース１３１を参照し、代金の決済を行うこともできる。
その後、決済部１２７は、ウェブサーバ部１２６又はＤＮＳ／メールサーバ１４０により、買い手に対して、購入した「買い目予想」の情報を提供する（タイミングＴ１０４）
【００２９】
（ステップＳ１０７）
次に、結果取得部１２５は、結果取得／照合処理を行う。
この処理では、まず、結果取得部１２５は、出品された買い目予想データの対象競技の競技結果が判明した場合、公営競技の結果のデータをネットワーク５に接続された他のサーバ等からフェッチ等で取得する。この取得は、タイマーにより、タイミングを設定して行うことができる。また、サーバ１０の管理者が、管理者端末２５を用いて、直接、競技結果を入力することもできる。
そして、結果取得部１２５は、取得した結果のデータと、出品された買い目予想データの比較を行い、結果が合っているか照合する。
結果取得部１２５は、照合したデータを、実績データベース１３２に記憶する。
【００３０】
（ステップＳ１０８）
次に、実績分析部１２２は、実績集計／分析処理を行う。
この実績集計／分析処理は、結果が判明した後、売り手の実績を再び計算、分析、評価する処理である。
具体的には、実績分析部１２２は、ステップＳ１０１の過去実績集計処理と、ステップＳ１０２の統計／ランキング作成処理と同様の処理を、上述の照合したデータを加えて行う。
これにより、各ＩＤの売り手の実績を更新し、実績データベース１３２に記憶する。
【００３１】
（ステップＳ１０９）
次に、買い目出品部１２４は、ウェブサーバ部１２６を用いて、最新実績公開処理を行う。
この最新実績公開処理は、ステップＳ１０３の実績公開処理と同様の処理を行う。すなわち、買い目出品部１２４は、買い手ユーザが閲覧した場合に、ウェブサーバ部１２６を用いて、各計算結果やランキングのＨＴＭＬやＸＭＬ等を送信する。
これに加えて、同一の公営競技に複数の売り手が買い目予想データを出品していた場合には、それぞれのレースや日毎のランキングといったものを作成して「速報」として出力したり、ＤＮＳ／メールサーバ１４０にて送信したりすることもできる。
【００３２】
（ステップＳ１１０）
次に、決済部１２７は、代金回収／売り上げ支払処理を行う。
具体的には、後払いの場合は、決済部１２７は、まず、買い手から購入代金を回収する（タイミングＴ１０５）。
決済部１２７は、代金の回収は、先払いの場合と同様に、ＳＳＬ等を用いて、ユーザデータベース１３１を参照して決済を行う。
その後、決済部１２７は、手数料分を差し引いて、売り手に売上金を送金（支払い）する（タイミングＴ１０６）。
また、先払いの場合は、最初に決済して回収しておいた購入代金を、サーバ１０の管理者の手数料分を差し引いて、結果公開後に売上金として送付する。これにより、先に単にランダムな買い目予想データを出品することを繰り返して料金を受けとるといった売り手の行動を防ぐことができ、売り手に責任感を持たせることができる。
また、決済部１２７は、先払いで結果公開後に送付するように設定した場合も、手数料分を差し引いて、送金することができる。
【００３３】
以上のように構成することで、以下のような効果を得ることができる。
まず、従来技術１は、上述のように単なる予想データを用いており、買い目予想データを商品として売買することはできなかった。このため、実際に予想が当たったのかどうかの実績の比較がしにくいという問題があった。
これに対して、本発明の実施の形態に係る公開市場システムは、売り手にフォームを用いて買い目予想データを提供させる。これにより、買い目予想データを、競技の結果と照合し予想が合っているか、すなわち当たったか外れたかの情報を明確にすることができる。また、この情報を集計して実績として公開し、分析して的中率等も公開をすることができる。
よって、予測データの透明性、利便性を高めることができる。このため、買い手は、売り手の実績の分析、比較、検討することが容易になる。
また、本発明の実施の形態に係る公開市場システムは、取引形態や価格を明示することで透明性や利便性を高めることもできる。
これらにより、買い手の購入に対する心理的な障壁を取り除くことができる。
なお、前払い後払いといった取引形態を一元化することで、さらに透明性を高めることができる。
【００３４】
また、従来の予想データは、取引形態も価格も売り手によってさまざまなため、新たに買い手として参入するには不透明で障壁が高かった。
さらに、従来技術１を用いても、客観的な評価がされることがないため、売り手として参入するためには店舗やインターネットサイトの立ち上げ、広告宣伝、売上げ金回収方法の確立等、多くの初期コストと手間、時間を必要とした。このため、売り手の参入障壁は高く、誰もが参入できるものではなかった。
これに対して、本発明の実施の形態に係る公開市場システムを売り手が利用することで、フォームにより買い目を入力するだけでよいため、初期コストと手間、時間をほとんど必要としなくなる。それに加えて、買い目予想データが、客観的にランキングや実績により具体的、客観的に評価されるため、「正しい」買い目予想をした売り手は、確実に収入を得ることができる。よって、売り手に、より良い予測をしようという意欲を与えることができる。
結果として、公営競技の予想買い目市場に誰もが簡単に参入できるようになるという効果が得られる。これにより、予想買い目市場が活性化し、買い手がより精度の高い買い目予想データを得ることが期待できる。
【００３５】
なお、従来、複雑系の事象に対して、金銭的・社会的な利益に関する何らかの数値的な結果を予測する「予測データ」そのものに商品的な価値があるような業務において、予測データの信頼性と価値の評価は難しい問題であった。
このような事象としては、公営競技の勝敗予測の他にも、外部要因、市況、各人の思惑等の集合知として「市場」により価格が決定される各種債権等の価格の予測、選挙の勝敗予測等がある。
本発明の実施の形態に係る公開市場システムは、具体的に評価可能な事象を買い目予想データとして売り手に出品させることで、これらにも応用可能である。
たとえば、株価の場合には、上ったり下がったりするいくつかの銘柄の組み合わせであるポートフォリオ等について、買い目予想データとして評価可能である。
また、選挙の場合にも、選挙区での勝敗予想を買い目予想データとして売買可能である。
なお、本発明の実施の形態に係る公開市場システムは、公営競技に適用する場合は所定の買い目を選ぶことができるが、それ以外の場合には、買い目そのものを順列、組み合わせ的に作成する買い目作成部（買い目作成手段）を備えていてもよい。
【００３６】
なお、上記実施の形態の構成及び動作は例であって、本発明の趣旨を逸脱しない範囲で適宜変更して実行することができることは言うまでもない。
【産業上の利用可能性】
【００３７】
本発明は、買い目予想データを客観的に評価可能な公開市場システムを提供することで、公営競技の予想買い目市場を実現するため、産業上利用可能である。
【符号の説明】
【００３８】
５  ネットワーク
１０  サーバ
２１−１〜２１−ｎ  買い手端末
２３−１〜２３−ｎ  売り手端末
２５  管理者端末
１１０  ネットワーク入出力部
１２０  公開市場サーバ
１２１  フォーム部
１２２  実績分析部
１２４  買い目出品部
１２５  結果取得部
１２６  ウェブサーバ部
１２７  決済部
１３０  データベースサーバ
１３１  ユーザデータベース
１３２  実績データベース
１３３  競技データベース
１３５  ＩＤ作成部
１４０  ＤＮＳ／メールサーバ
５００、５１０、５２０、５３０、５４０、５５０、５６０、５７０、６１０、６２０、６３０、６４０、６５０  入力欄
５８０、６７０  送信ボタン
７００、７１０  リンク
６８０  クリアボタン
Ｘ  公開市場システム
【図１】
0005394853.tif 000002
【図２】
0005394853.tif 000003
【図３】
0005394853.tif 000004
【図４】
0005394853.tif 000005
【図５】
0005394853.tif 000006
【図６】
0005394853.tif 000007
【図７】
0005394853.tif 000008